【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションによって実装される方法であって、
収録オプションを構成するようにユーザ入力を受信することであって、前記オプションは再生リスト指定オプションを備える、ことと、
収録オプションを構成するようにユーザ入力を受信することに応答して、前記ユーザが、前記再生リスト指定オプションを使用して再生リストを指定することと、
前記構成された収録オプションに従って、少なくとも１つのアセットを収録することと、
前記再生リストに前記少なくとも１つの収録されたアセットを自動的に含むことと、
既定の順序に従って、前記再生リストに前記アセットを配列することであって、前記再生リスト内の前記アセットは、ユーザが再生のために前記再生リストを選択するとき、前記既定の順序に従って再生される、ことと
を含む、方法。
【請求項２】
前記収録オプションはシリーズメディアアセット収録オプションを備える、請求項１に記載の方法。
【請求項３】
再生リストを指定することは、再生リストを作成することを含む、請求項１に記載の方法。
【請求項４】
再生リストを指定することは、既存の再生リストを選択することを含む、請求項１に記載の方法。
【請求項５】
前記構成された収録オプションは、収録基準を備え、少なくとも１つのアセットを収録することは、一組のアセットを収録することを含み、前記収録されたアセットは前記収録基準を満たす、請求項１に記載の方法。
【請求項６】
前記再生リストは複数のアセットを備え、前記方法は、
前記再生リストに含まれた収録アセットを再生することをさらに含む、請求項１に記載の方法。
【請求項７】
前記再生リスト指定オプションを使用して再生リストを指定することは、前記再生リストのアセットが表示される場所からリモートで実行される、請求項１に記載の方法。
【請求項８】
双方向メディアガイダンスアプリケーションを実装するためのユーザ機器を備えるシステムであって、前記ユーザ機器は、
ユーザが収録オプションを構成することを可能にすることであって、前記オプションは再生リスト指定オプションを備える、ことと、
ユーザが収録オプションを構成することに応答して、前記ユーザが、前記再生リスト指定オプションを使用して再生リストを指定することと、
構成された収録オプションに従い少なくとも１つのアセットを収録することと、
前記再生リストに前記少なくとも１つの収録されたアセットを含むことと、
既定の順序に従って、前記再生リストに前記アセットを配列することであって、前記再生リスト内の前記アセットは、ユーザが再生のために前記再生リストを選択するとき、前記既定の順序に従って再生される、ことと
を行うように操作可能である、システム。
【請求項９】
前記収録オプションはシリーズメディアアセット収録オプションを備える、請求項８に記載のシステム。
【請求項１０】
前記ユーザ機器は、前記再生リストのために新しい再生リストを作成するように操作可能である、請求項８に記載のシステム。
【請求項１１】
前記ユーザ機器は、前記指定された再生リストのために既存の再生リストを選択するように操作可能である、請求項８に記載のシステム。
【請求項１２】
前記構成された収録オプションは、収録基準を備え、少なくとも１つのアセットを収録することは、一組のアセットを収録することを含み、前記収録されたアセットは前記収録基準を満たす、請求項８に記載のシステム。
【請求項１３】
前記再生リストは複数のアセットを含み、前記ユーザ機器は、
前記再生リストに含まれる収録されたアセットを再生する手段を備える、請求項８に記載のシステム。
【請求項１４】
前記ユーザ機器は、前記ユーザ機器に対してリモートにあるソースから前記再生リストを受信するように操作可能である、請求項８に記載のシステム。
【手続補正２】
【補正対象書類名】明細書
【補正対象項目名】００１１
【補正方法】変更
【補正の内容】
【００１１】
別の実施形態においては、双方向メディアアプリケーションは、アセットグループ化パラメータを自動的に選択して、これに従ってアセットをグループ化することができる。一部の例では、アプリケーションは、パラメータの階層に基づいてクラスタを自動的に作成するために、一次、二次、またはこれより多いレベルのパラメータを選択することができる。
例えば、本発明は以下の項目を提供する。
（項目１）
双方向メディアガイダンスアプリケーションを使用するための方法であって、
ユーザが収録オプションを構成できるようにするステップであって、上記オプションは再生リスト指定オプションを備える、ステップと、
上記再生リスト指定オプションを使用して再生リストを指定するステップと、
上記構成された収録オプションに従って、少なくとも１つのアセットを収録するステップと、
上記指定された再生リストに上記少なくとも１つの収録されたアセットを自動的に含むステップと、
既定の順序に従って、上記指定された再生リストに上記アセットを配列するステップと、を備える、方法。
（項目２）
上記収録オプションはシリーズ収録オプションを備える、項目１に記載の方法。
（項目３）
再生リストを指定するステップは、シリーズ再生リストを指定するステップを備える、項目１に記載の方法。
（項目４）
再生リストを指定するステップは、再生リストを作成するステップを備える、項目１に記載の方法。
（項目５）
再生リストを指定するステップは、既存の再生リストを選択するステップを備える、項目１に記載の方法。
（項目６）
上記構成された収録オプションは、収録属性を備え、少なくとも１つのアセットを収録するステップは、一組のアセットを収録するステップを備え、上記アセットは上記収録属性を有する、項目１に記載の方法。
（項目７）
上記指定された再生リストは複数のアセットを備え、
上記指定された再生リストに含まれた収録アセットを再生するステップをさらに備える、項目１に記載の方法。
（項目８）
上記既定の順序に従って上記アセットを再生するステップ
をさらに備える、項目７に記載の方法。
（項目９）
上記指定された再生リストの上記アセットのうちの少なくとも１つのアセットの視聴可能性に応じて、上記指定された再生リストを更新するステップをさらに備える、項目１に記載の方法。
（項目１０）
上記指定された再生リストは複数のアセットを含み、
少なくとも１つのパラメータに従って上記アセットをクラスタにグループ化するステップをさらに備える、項目１に記載の方法。
（項目１１）
上記パラメータは、ユーザによって選択される、項目１０に記載の方法。
（項目１２）
上記パラメータは、少なくとも上記複数のアセットの属性に応じて、自動的に選択される、項目１０に記載の方法。
（項目１３）
上記再生リスト指定オプションを使用して再生リストを少なくとも指定するステップは、上記再生リストのアセットが表示される場所からリモートで実行される、項目１に記載の方法。
（項目１４）
双方向メディアガイダンスアプリケーションを実装するためのユーザ機器を備えるシステムであって、上記ユーザ機器は、
ユーザが収録オプションを構成することを可能にし、上記オプションは再生リスト指定オプションを備え、
上記再生リスト指定オプションを使用して再生リストを指定し、
構成された収録オプションに従い少なくとも１つのアセットを収録し、
上記指定された再生リストに上記少なくとも１つの収録されたアセットを含み、
既定の順序に従って、上記指定された再生リストに上記アセットを配列するように操作可能である、システム。
（項目１５）
収録オプションはシリーズ収録オプションを備える、項目１４に記載のシステム。
（項目１６）
再生リストの指定は、シリーズ再生リストの指定を備える、項目１４に記載のシステム。
（項目１７）
上記ユーザ機器は、上記指定された再生リストとなる新しい再生リストを作成するように操作可能である、項目１４に記載のシステム。
（項目１８）
上記ユーザ機器は、上記指定された再生リストとなる既存の再生リストを選択するように操作可能である、項目１４に記載のシステム。
（項目１９）
上記構成された収録オプションは、収録属性を備え、少なくとも１つのアセットを収録するステップは、一組のアセットを収録するステップを備え、上記アセットは上記収録属性を有する、項目１４に記載のシステム。
（項目２０）
上記指定されたシリーズ再生リストは複数のアセットを含み、上記ユーザ機器は、
上記指定された再生リストに含まれる収録されたアセットを再生するように操作可能である、項目１４に記載のシステム。
（項目２１）
上記ユーザ機器は、
上記既定の順序に従い上記アセットを再生するように操作可能である、項目２０に記載のシステム。
（項目２２）
上記ユーザ機器は、上記指定された再生リストの上記アセットのうちの少なくとも１つのアセットの視聴可能性に応じて、上記指定された再生リストを更新するようにさらに操作可能である、項目１４に記載のシステム。
（項目２３）
上記指定された再生リストは複数のアセットを含み、上記ユーザ機器は、
少なくとも１つのパラメータに従って上記アセットをクラスタにグループ化するように操作可能である、項目１４に記載のシステム。
（項目２４）
上記パラメータは、ユーザによって選択される、項目２３に記載のシステム。
（項目２５）
上記パラメータは、少なくとも上記複数のアセットの属性に応じて、自動的に選択される、項目２３に記載のシステム。
（項目２６）
上記ユーザ機器は、上記ユーザ機器に対してリモートにあるソースから指定された再生リストを受信するように操作可能である、項目１４に記載のシステム。
（項目２７）
双方向メディアガイダンスアプリケーションを使用するための方法であって、
選択されたアセットに関連する再生リストを生成するステップと、
実質上上記再生リストが生成される時に、他の関連する視聴可能なアセットを上記再生リストに自動的に含むステップと、
既定の順序に従って、上記再生リストに上記アセットを配列するステップと、
上記再生リストの上記アセットに関連する変更に応じて、上記再生リストを動的に更新するステップと、を備える、方法。
（項目２８）
上記選択されたアセットは、シリーズの一部である収録アセットであり、他の関連するアセットは、上記選択されたアセットと同じシリーズに属するアセットである、項目２７に記載の方法。
（項目２９）
他の関連する視聴可能なアセットを上記再生リストに含むステップは、指定された一組の基準によって関連付けられるアセットを含むステップを備える、項目２７に記載の方法。
（項目３０）
番組ガイド情報を表示するステップであって、上記番組ガイド情報は上記選択されたアセットを含むステップと、
上記選択されたアセットのユーザ選択を受信するステップと、
上記選択されたアセットがシリーズに属するかどうかを判断するステップと、をさらに備え、再生リストを生成するステップは、上記シリーズに関連した再生リストがまだ存在しない場合、シリーズ再生リストを生成するステップを備える、項目２７に記載の方法。
（項目３１）
ユーザが、上記再生リストに対する少なくとも１つのシリーズ再生リストオプションを指定することを可能にするステップをさらに備える、項目２７に記載の方法。
（項目３２）
上記含むステップは、上記少なくとも１つの指定されたシリーズ再生リストオプションに基づく、項目３１に記載の方法。
（項目３３）
上記更新するステップは、上記少なくとも１つの指定されたシリーズ再生リストオプションに基づく、項目３１に記載の方法。
（項目３４）
上記再生リストは、上記選択されたアセットに関連したシリーズのアセットのみを含む、項目２７に記載の方法。
（項目３５）
上記再生リストは少なくとも１つの特定のタイプのアセットを含み、
視聴可能な上記少なくとも１つの特定のタイプのアセットを決定して、これらの決定されたアセットを上記選択されたシリーズに相関させるステップと、
上記シリーズ再生リストに上記少なくとも１つの特定のタイプを有する上記視聴可能なアセットを含むステップと、をさらに備える、項目２７に記載の方法。
（項目３６）
上記少なくとも１つの特定のタイプは、ローカルで収録されたアセット、リモートで収録されたアセット、サーバで保存されたアセット、またはこれらの組み合わせから成る群から選択される、項目３５に記載の方法。
（項目３７）
上記更新するステップは、
上記再生リストのアセットの上記順序を並べ替えるステップを備える、項目２７に記載の方法。
（項目３８）
上記更新するステップは、
新しいシリーズアセットが視聴可能になったとき、上記再生リストに上記新しいシリーズアセットを追加するステップを備える、項目２７に記載の方法。
（項目３９）
上記新しいシリーズアセットが収録されると、上記新しいシリーズアセットは上記再生リストに追加される、項目３８に記載の方法。
（項目４０）
上記新しいシリーズアセットがサーバ上で視聴可能になると、上記新しいシリーズアセットは上記再生リストに追加される、項目３８に記載の方法。
（項目４１）
上記更新するステップは、
アセットのアクセス可能性の状態に変化があると、上記再生リスト内の該アセットの提示を変更するステップを備える、項目２７に記載の方法。
（項目４２）
上記再生リスト内のアセットの上記提示を変更するステップは、上記再生リストの残りの統一性を維持しながら、上記再生リストから上記アセットを削除するステップを備える、項目４１に記載の方法。
（項目４３）
上記再生リスト内のアセットの上記提示を変更するステップは、上記再生リスト内の上記アセットの視覚的提示の特徴を変更するステップと、上記アセットの提示の機能性のある態様を変更するステップと、を備える、項目４１に記載の方法。
（項目４４）
上記アセットの提示の上記機能性のある態様を変更するステップは、上記再生リストの実行中、上記アセットの再生をスキップするステップを備える、項目４３に記載の方法。
（項目４５）
上記更新するステップは、
アセットが削除されたとき、上記再生リストから該アセットを削除するステップを備える、項目２７に記載の方法。
（項目４６）
上記更新するステップは、
アセットがアクセス可能ではなくなったとき、上記再生リストから該アセットを削除するステップを備える、項目２７に記載の方法。
（項目４７）
上記更新するステップは、
デジタル著作権管理システムに従い、アセットの視聴が許可されない場合、上記再生リストからの該アセットの再生を防止するステップを備える、項目２７に記載の方法。
（項目４８）
上記更新するステップは、
アセットが視聴された後、上記再生リストから該アセットを削除するステップを備える、項目２７に記載の方法。
（項目４９）
ユーザが上記選択されたアセットを少なくとも選択できるように、リモートユーザインターフェイスを提供するステップをさらに備える、項目２７に記載の方法。
（項目５０）
双方向メディアガイダンスアプリケーションを使用するためのシステムであって、
選択されたアセットに関連する再生リストを生成し、
実質上上記再生リストが生成される時に、他の関連する視聴可能なアセットを上記再生リストに自動的に含み、
既定の順序に従って、上記再生リストに上記アセットを配列し、
上記再生リストの上記アセットに関連する変更に応じて、上記再生リストを動的に更新するように操作可能なユーザ機器、を備える、システム。
（項目５１）
上記選択されたアセットは、シリーズの一部である収録アセットであり、他の関連アセットは、上記選択されたアセットと同じシリーズに属するアセットである、項目５０に記載のシステム。
（項目５２）
上記ユーザ機器は、指定された一組の基準によって関連付けられる、上記他の関連した視聴可能なアセットを、上記再生リストに含むように操作可能である、項目５０に記載のシステム。
（項目５３）
上記ユーザ機器は、
番組ガイド情報を表示し、上記番組ガイド情報は上記選択されたアセットを含み、
上記選択されたアセットのユーザ選択を受信し、
上記選択されたアセットがシリーズに属するかどうかを判断し、
上記シリーズに関連する再生リストがまだ存在していない場合、シリーズ再生リストを生成するようにさらに操作可能である、項目５０に記載のシステム。
（項目５４）
上記ユーザ機器は、
ユーザが上記再生リストに対する少なくとも１つのシリーズ再生リストオプションを指定することを可能にするようにさらに操作可能である、項目５０に記載のシステム。
（項目５５）
上記ユーザ機器は、上記少なくとも１つの指定されたシリーズ再生リストオプションに基づいて、上記他の関連した視聴可能なアセットを上記再生リストに含むように操作可能である、項目５４に記載のシステム。
（項目５６）
上記ユーザ機器は、上記少なくとも１つの指定されたシリーズ再生オプションに基づいて、上記再生リストを更新するように操作可能である、項目５４に記載のシステム。
（項目５７）
上記再生リストは、上記選択されたアセットに関連したシリーズのみのアセットを含む、項目５０に記載のシステム。
（項目５８）
上記再生リストは少なくとも１つの特定のタイプのアセットを含み、上記ユーザ機器は、
視聴可能な上記少なくとも１つの特定のタイプのアセットを決定して、これらの決定されたアセットを上記選択されたシリーズに相関させ、
上記シリーズ再生リストに上記少なくとも１つの特定のタイプを有する上記視聴可能なアセットを含むようにさらに操作可能である、項目５０に記載のシステム。
（項目５９）
上記少なくとも１つの特定のタイプは、ローカルで収録されたアセット、リモートで収録されたアセット、サーバで保存されたアセット、またはこれらの組み合わせから成る群から選択される、項目５８に記載のシステム。
（項目６０）
上記ユーザ機器は、
上記再生リストのアセットの上記順序を並べ替えるように操作可能である、項目５０に記載のシステム。
（項目６１）
上記ユーザ機器は、
新しいシリーズアセットが視聴可能になったとき、上記再生リストに上記新しいシリーズアセットを追加するように操作可能である、項目５０に記載のシステム。
（項目６２）
上記新しいシリーズアセットが収録されると、上記新しいシリーズアセットは上記再生リストに追加される、項目６１に記載のシステム。
（項目６３）
上記新しいシリーズアセットがサーバ上で視聴可能になると、上記新しいシリーズアセットは上記再生リストに追加される、項目６１に記載のシステム。
（項目６４）
上記ユーザ機器は、
アセットのアクセス可能性の状態に変化があると、上記再生リスト内の該アセットの提示を変更するように操作可能である、項目５０に記載のシステム。  
（項目６５）
上記ユーザ機器は、上記再生リストの残りの統一性を維持しながら、上記再生リストからアセットを削除することによって、上記再生リスト内の上記アセットの提示を変更するように操作可能である、項目６４に記載のシステム。
（項目６６）
上記ユーザ機器は、上記再生リスト内のアセットの視覚的提示の特徴を変更し、上記アセットの提示の機能性の或る態様を変更することによって、上記再生リスト内の上記アセットの上記提示を変更するように操作可能である、項目６４に記載のシステム。
（項目６７）
上記ユーザ機器は、上記再生リストの実行中、上記アセットの再生をスキップすることによって、上記アセットの提示の上記機能性の或る態様を変更するように操作可能である、項目６６に記載のシステム。
（項目６８）
上記ユーザ機器は、
アセットが削除されたとき、上記再生リストから該アセットを削除するように操作可能である、項目５０に記載のシステム。
（項目６９）
上記ユーザ機器は、
アセットがアクセス可能ではなくなったとき、上記再生リストから該アセットを削除するように操作可能である、項目５０に記載のシステム。
（項目７０）
上記ユーザ機器は、
デジタル著作権管理システムに従い、アセットの視聴が許可されない場合、上記再生リストからの該アセットの再生を防止するように操作可能である、項目５０に記載のシステム。
（項目７１）
上記ユーザ機器は、
アセットが視聴された後、上記再生リストから該アセットを削除するように操作可能である、項目５０に記載のシステム。
（項目７２）
リモートユーザインターフェイスをさらに備え、上記リモートユーザインターフェイスは、ユーザが上記選択されたアセットを少なくとも選択できるようにする、項目５０に記載のシステム。
（項目７３）
双方向メディアガイダンスアプリケーションを使用するための方法であって、
アセットのリストから再生リストを作成するステップであって、上記アセットは既定の順序に配列されるステップと、
少なくとも１つのパラメータに応じて、上記アセットを少なくとも２つのクラスタにグループ化するステップと、
上記少なくとも２つのアセットクラスタを有する上記再生リストを表示するステップと、を備える、方法。
（項目７４）
上記クラスタのうちの少なくとも１つに関して、上記クラスタのうちの該１つに関連する識別子を表示するステップをさらに備える、項目７３に記載の方法。
（項目７５）
上記識別子はアイコンまたはグラフィックである、項目７４に記載の方法。
（項目７６）
上記識別子はテキストである、項目７４に記載の方法。
（項目７７）
上記識別子は、上記クラスタのうちの該１つ内の上記アセットに共通した属性を表す、項目７４に記載の方法。
（項目７８）
上記識別子は、上記パラメータによって提示される上記クラスの要素のうちの一要素である、項目７４に記載の方法。
（項目７９）
上記アセットをグループ化するステップは、少なくとも２つのパラメータに応じ、上記少なくとも２つのクラスタのうちの少なくとも１つは２つのサブクラスタを備える、項目７３に記載の方法。
（項目８０）
上記少なくとも２つのパラメータのうちの第１のパラメータは、一次パラメータであり、上記２つのパラメータのうちの第２のパラメータは、二次パラメータであり、上記一次パラメータは両方のサブクラスタの上記アセットに関連し、上記二次パラメータは、上記サブクラスタのうちの１つのみに関連する、項目７９に記載の方法。
（項目８１）
上記サブクラスタのうちの少なくとも１つに関連する識別子を表示するステップをさらに備える、項目８０に記載の方法。
（項目８２）
再生のために上記クラスタのサブセットを選択するステップをさらに備える、項目７３に記載の方法。
（項目８３）
上記少なくとも１つのパラメータを自動的に選択するステップをさらに備える、項目７３に記載の方法。
（項目８４）
上記少なくとも１つのパラメータを選択するオプションを、ユーザに提供するステップをさらに備える、項目７３に記載の方法。
（項目８５）
上記ユーザが、上記少なくとも１つのパラメータを指定すること、または、上記アプリケーションに上記少なくとも１つのパラメータを自動的に選択させることの、どちらかを選択することを可能にするステップをさらに備える、項目７３に記載の方法。
（項目８６）
上記再生リストを作成するステップと、上記アセットをグループ化するステップの相対的順序は、ユーザが決定可能である、項目７３に記載の方法。
（項目８７）
上記少なくとも１つのパラメータは、上記アセットの属性のアルゴリズム分析によって、自動的に生成される、項目７３に記載の方法。
（項目８８）
上記アルゴリズム分析は、上記属性の頻度分析を備える、項目８７に記載の方法。
（項目８９）
上記アセットの上記属性はジャンルを含む、項目８７に記載の方法。
（項目９０）
上記アセットの上記属性はアーティストを含む、項目８７に記載の方法。
（項目９１）
上記アセットの上記属性はアセットのタイプまたは質を含む、項目８７に記載の方法。
（項目９２）
アセットクラスタリングパラメータが一次または二次パラメータであるかどうかを指定することをユーザに可能にするステップをさらに備える、項目７３に記載の方法。
（項目９３）
上記アセットは識別子に関連し、ユーザは双方向アセットグループ化ノードのうちの１つにおけるパラメータとして上記識別子のうちの１つを選択できる、項目７３に記載の方法。
（項目９４）
上記アセットに関連する識別子を決定するステップをさらに備え、上記識別子のうちの少なくとも１つは、上記少なくとも１つのパラメータとして選択される、項目７３に記載の方法。
（項目９５）
上記アセットは、シリーズ収録アセットである、項目７３に記載の方法。
（項目９６）
上記アセットは、ＶＯＤアセット、リニアアセット、ブックマークアセット、オーディオアセットまたはこれらの任意の組み合わせから成るグループから選択される、項目７３に記載の方法。
（項目９７）
上記アセットのリストは、上記クラスタ全てのアセットを合わせたうちの適切なサブセットを備え、上記少なくとも２つのクラスタからアセットの上記リストを選択するステップをさらに備える、項目７３に記載の方法。
（項目９８）
上記アセットのリストは、上記少なくとも２つのクラスタのうちの少なくとも１つのクラスタ内のアセットの群である、項目７３に記載の方法。
（項目９９）
上記少なくとも２つのクラスタは、互いの相対的順序が変えられ、順次再生される可能性がある、項目７３に記載の方法。
（項目１００）
上記アセットのリストは、上記再生リストを表示するステップが実行される場所からリモートで選択される、項目７３に記載の方法。
（項目１０１）
双方向メディアガイダンスアプリケーションを使用するためのシステムであって、
アセットのリストから再生リストを作成し、上記アセットは既定の順序に配列され、
少なくとも１つのパラメータに応じて、上記アセットを少なくとも２つのクラスタにグループ化し、
上記少なくとも２つのクラスタのアセットを有する上記再生リストを表示するように操作可能であるユーザ機器を備える、システム。
（項目１０２）
上記ユーザ機器は、
上記クラスタのうちの少なくとも１つに関して、上記クラスタのうちの該１つに関連する識別子を表示するように操作可能である、項目１０１に記載のシステム。
（項目１０３）
上記識別子はアイコンまたはグラフィックである、項目１０２に記載のシステム。
（項目１０４）
上記識別子はテキストである、項目１０２に記載のシステム。
（項目１０５）
上記識別子は、上記クラスタのうちの該１つ内の上記アセットに共通した属性を表す、項目１０２に記載のシステム。
（項目１０６）
上記識別子は、上記パラメータによって提示される上記クラスの要素のうちの一要素である、項目１０２に記載のシステム。  
（項目１０７）
上記アセットをグループ化するように操作可能である上記ユーザ機器は、少なくとも２つのパラメータに応じ、上記少なくとも２つのクラスタのうちの少なくとも１つは２つのサブクラスタを備える、項目１０１に記載のシステム。
（項目１０８）
上記少なくとも２つのパラメータのうちの第１のパラメータは、一次パラメータで、上記２つのパラメータのうちの第２のパラメータは、二次パラメータであり、上記一次パラメータは上記アセットの両方のサブクラスタに関連し、上記二次パラメータは、上記サブクラスタのうちの１つのみに関連する、項目１０７に記載のシステム。
（項目１０９）
上記ユーザ機器は、
上記サブクラスタのうちの少なくとも１つに関連する識別子を表示するように操作可能である、項目１０８に記載のシステム。
（項目１１０）
上記ユーザ機器は、
再生のために上記クラスタのサブセットを選択するように操作可能である、項目１０１に記載のシステム。
（項目１１１）
上記ユーザ機器は、
上記少なくとも１つのパラメータを自動的に選択するように操作可能である、項目１０１に記載のシステム。
（項目１１２）
上記ユーザ機器は、
上記少なくとも１つのパラメータを選択するオプションを、ユーザに提供するように操作可能である、項目１０１に記載のシステム。
（項目１１３）
上記ユーザ機器は、
上記ユーザが、上記少なくとも１つのパラメータを指定すること、または、上記アプリケーションに上記少なくとも１つのパラメータを自動的に選択させることの、どちらかを選択することが可能になるように操作可能である、項目１０１に記載のシステム。
（項目１１４）
上記再生リストが作成され、上記アセットがグループ化される上記相対的な順序は、ユーザが決定可能である、項目１０１に記載のシステム。
（項目１１５）
上記少なくとも１つのパラメータは、上記アセットの属性のアルゴリズム分析によって、自動的に生成される、項目１０１に記載のシステム。
（項目１１６）
上記アルゴリズム分析は、上記属性の頻度分析を備える、項目１１５に記載のシステム。
（項目１１７）
上記アセットの上記属性はジャンルを含む、項目１１５に記載のシステム。
（項目１１８）
上記アセットの上記属性はアーティストを含む、項目１１５に記載のシステム。
（項目１１９）
上記アセットの上記属性はアセットのタイプまたは質を含む、項目１１５に記載のシステム。
（項目１２０）
上記ユーザ機器は、
ユーザが、アセットクラスタリングパラメータが一次または二次パラメータであるかどうかを指定することを可能にするように操作可能である、項目１０１に記載のシステム。
（項目１２１）
上記アセットは識別子に関連し、ユーザは双方向アセットグループ化ノードのうちの１つにおけるパラメータとして上記識別子のうちの１つを選択することが可能である、項目１０１に記載のシステム。
（項目１２２）
上記ユーザ機器は、
上記アセットに関連する識別子を決定するように操作可能であり、上記識別子のうちの少なくとも１つは、上記少なくとも１つのパラメータとして選択される、項目１０１に記載のシステム。
（項目１２３）
上記アセットは、シリーズ収録アセットである、項目１０１に記載のシステム。
（項目１２４）
上記アセットは、ＶＯＤアセット、リニアアセット、ブックマークアセット、オーディオアセット、またはこれらの任意の組み合わせから成るグループから選択される、項目１０１に記載のシステム。
（項目１２５）
アセットの上記リストは、上記クラスタの全てのアセットの合わせたうちの適切なサブセットを備え、上記ユーザ機器は、上記少なくとも２つのクラスタからアセットの上記リストを選択するように操作可能である、項目１０１に記載のシステム。
（項目１２６）
上記アセットのリストは、上記少なくとも２つのクラスタのうちの少なくとも１つのクラスタ内のアセットの群である、項目１０１に記載のシステム。
（項目１２７）
上記少なくとも２つのクラスタは、互いの相対的順序が変えられ、順次に再生され得る、項目１０１に記載のシステム。
（項目１２８）
リモートユーザインターフェイスをさらに備え、上記リモートユーザインターフェイスは、ユーザが、上記ユーザ機器からリモートである場所からアセットの上記リストを選択することを可能にする、項目１０１に記載のシステム。